(57)【要約】【課題】  従来の紙フィルタなどを利用する掃除機が掃除する際、大粒のゴミを収集すると同時に新しく塵埃と臭いを排出する。本発明はゴミを収集する機能を保つとともに、細かい塵埃と不愉快な臭いなどを水に溶け込ませ、水フィルタを通してさらに洗浄されてから、きれいな排出空気を得られるものである。なお、市販されているポリタンクと水を利用するので、コストの削減が期待できるものである。【解決手段】  本発明は、市販されるポリタンクと電気掃除機を利用し、ゴミと汚れた空気をまず空気導入管に備えたゴミ収集袋で収集する一方、排出された空気を空気導入管によりポリタンク内の水の中に送り込む。電気掃除機の吸引力によって空気は水と接触し、水で洗浄する。このため、ポリタンクの両端の蓋の部分にノズルつきキャップと、そのキャップの下にゴミ収集袋を備えた空気導入管を開発した。なお、きれいな空気を獲得し、掃除効果を高める一方、ポリタンクと水の利用により、掃除用機材の低コスト化を図るものである。また液体の収集、空気の浄化にも利用できるものである。【選択図】  図１2005169022.tif 000003
2005169022.tif 000002
【特許請求の範囲】
【請求項１】
市販されているポリタンクの大きい蓋の部分の新しい蓋として、一端は掃除機用アタッチメントに、もう一端は同ポリタンクの蓋の部分に自在着脱することのできるノズルをつけたキャップａを有することを特徴とする、ポリタンクと水を利用したごみ収集及び空気清浄装置。
【請求項２】
ゴミと空気は、上述キャップａを通って空気導入管ｂに送って込まれ、ゴミは収集袋によって収集され、空気は同空気導入管を通して一定量の水が注入された同ポリタンクに導入され、タンク内の水でさらに洗浄されてからポリタンクのもう一端から排出されるという仕組みを有することを特徴とする、水をフィルタに利用したごみ収集及び空気清浄装置。
【請求項３】
洗浄された空気は、ポリタンクｃ−２から排出される時、このｃ−２の新しい蓋として、一端は掃除機本体のホースに、もう一端はポリタンクに自在着脱ことのできるキャップ、なお、このキャップには余計な水を吸い出されないために備えた着脱できるスポンジフィルタをつけたものであることを特徴とするポリタンクと水を利用したごみ収集及び空気清浄装置。
【発明の詳細な説明】
【技術分野】
【産業上の利用分野】
【０００１】  本発明は、ゴミを収集し、排気を浄化するため、水をフィルタとして利用する空気清浄装置に関する。
【背景技術】
【０００２】  ゴミを収集する電気集塵機（掃除機）は、紙などのフィルタを利用するので、微小な塵埃や不愉快な臭いをフィルタを通して再び空気中に散布してしまう。その上フィルタなどの交換はコストが高い。
【発明の開示】
【発明が解決しようとする課題】
【０００３】  本発明は、市販されるポリタンクと電気掃除機を利用して、ゴミを収集する一方、電気掃除機から排出された塵埃や臭いを取り除き、かつ掃除用機材の低コスト化を図る
【課題を解決するための手段】
【０００４】  そこで本発明は、ポリタンクの蓋の部分ｃ−１に掃除機のアタッチメントなどに自在着脱できる新しいキャップ１を開発して装着する。このキャップ１の下にゴミ収集袋ｂ−２を備えた空気導入管ｂを装着する。同空気導入管ｂに刻まれた上限水位と下限水位目盛の範囲内に、ポリタンク内に水道水を注入する。ポリタンクのもう一方の蓋の部分に新しく開発したノズルつきキャップ２を装着する。このキャップ２は電気掃除機につなぐホースに接続する。【０００５】  電気掃除機の吸引力によって、ゴミと汚れた空気はまずごみ収集袋を備えた空気導入管ｂに吸込まれる。ここで大粒のゴミはゴミ収集袋によって収集されるとともに、微塵化された塵埃と臭いなどは空気導入管ｂを通してポリタンクの水中ｃ−３に導入される。【０００６】  タンク内の水で濾過、洗浄された潤いのある、クリーンな空気はキャップ２を通して掃除機内に送り出され、さらに掃除機から排出される。
【発明の効果】
【０００７】  本発明はゴミを収集袋で収集する一方、水をフィルタとして空気をさらに濾過、洗浄することによってきれいな空気が得られ、掃除効果をさらに高められた。【０００８】  なお、本装置は、液体及び液体を混ぜたゴミの収集及び空気清浄にも利用できる。さらに、市販されて、広く使用されているポリタンクを利用したり、水をフィルタとして利用したりするので、掃除用品の低コスト化が期待できる。
【発明を実施するための最良の形態】
【０００９】  ポリタンクの蓋の部分ｃ−１に新しい蓋として、キャップａを装着する。キャップａの一端に掃除機用アタッチメントに自在着脱できるノズルａ−１を備えている。このキャップａの下にゴミ収集袋ｂ−２を備えた空気導入管ｂを装着する。ポリタンクｃ内に同空気導入管ｂに刻まれた上限水位と下限水位目盛の範囲内に、水道水を注入する。ポリタンクのもう一方の蓋の部分にキャップｄを装着する。このキャップｄに電気掃除機につなぐホースに自在着脱できるノズルｄ−１を備えている。電気掃除機の電源スイッチで吸引の強度を調節しながら、電気掃除機の吸引力により、ゴミと汚れた空気はまずポリタンク内の空気導入部に吸込まれる。大粒のゴミはゴミ収集袋によって収集されるとともに、微塵化された塵埃や臭いなどは空気導入管ｂによって水中ｃ−３に導入され、水でさらに濾過される。ゴミ収集袋にゴミが溜まったり、ポリタンクの水が汚れたりした時、両端のキャップをはずしてゴミを処理し、水を交換する。電気掃除機に備えていた紙フィルタの交換を不要にしたり、または減少にしたりすることによって、コストの削減も期待できる。
【実施例】
【００１０】  キャップａの一端に掃除機用アタッチメントにつなぐ。キャップａの下にゴミ収集袋ｂ−２を備えた空気導入管ｂを装着する。空気導入管ｂの上部の縁のところは、ポリタンクの蓋の部分に引っ掛かるための滑り止め縁ｂ−１を備えている。空気導入管ｂにゴミ収集袋を備えるため、上部の口の部分から段差ｂ−６を形成する。タンク内に空気導入管に刻まれた上限水位と下限水位目盛の範囲内に適量の水を注入する。なお、吸引収集する対象は液体の場合、ポリタンクの中に水を注入しなくてよい。空気導入管の底辺には空気と水をもっと有効に接触させるため、多数の通気孔ｂ−５を備えている。タンク内の水の量が空気導入管ｂの目盛の範囲を逸脱した場合、水を足したり、減らしたりする必要がある。ポリタンクのもう一方の小さい蓋の部分に装着したキャップｄには、ポリタンクの水を余計に吸い出さないためのスポンジフィルタを装着する。このスポンジフィルタははずして水洗できるものとする。キャップｄは電気掃除機につなぐホースに自在着脱できるノズルｄ−１を備えている。電気掃除機の電源スイッチで吸引の強度を調節しながら、電気掃除機の吸引力によって、ゴミと汚れた空気をまず空気導入部に吸込む。大粒のゴミは空気導入管ｂ内に備えたゴミ収集袋ｂ−２によって収集されるとともに、微塵化された塵埃や臭いなどは、空気導入管ｂによって水中ｃ−３に導入され、水で濾過される。最終的には、濾過され、洗浄された空気は、ポリタンクｃのもう一端の蓋の部分に装着されたキャップｄを通って、電気掃除機に吸込まれ、排出される。ゴミ収集袋にゴミが溜まったり、ポリタンクの水が汚れたりした時、両端のキャップをはずしてゴミを処理し、水を交換する。
【産業上の利用可能性】
【００１１】  市販される掃除機の補助装置として、ポリタンクの蓋に合わせて開発したキャップａとｄ、及び空気導入管ｂの開発、使用により、ゴミ又は液体を収集し、空気を浄化する、新しい装置として利用できるものである。
【図面の簡単な説明】
【００１２】
【図１】  装置全体を示した断面図である。本装置は主にキャップａとｄ、空気導入管ｂ、ポリタンクｃから構成する。
【図２】  装置ａの部分を示した概観図である。ノズルと蓋を一体化にし、装着をし易くするものである。
【図３】  装置のｂの部分を示した概観図である。空気導入管内部にゴミ収集袋と通気孔を備えている。
【図４】  装置ａとｂの部分を示した断面図である。空気導入管ｂを通して、空気はポリタンク内の水と接触し、水で浄化される。
【図５】  装置ｄの部分を示した概観図である。掃除機につなぐノズルの装着により、掃除機との着脱を容易にし、またスポンジフィルタによって、余計な水をタンクから吸い出されないようにする。
【図６】  装置ｄの部分を示した断面図である。スポンジフィルタは着脱でき、水洗可能のものとする。
【符号の説明】
【００１３】  ａ  ポリタンクの大きい蓋の部分に接続するノズルつきキャップ
ａ−１  掃除機のアタッチメントに着脱するノズルの部分
ａ−２  ポリタンクの蓋の部分に着脱するノズルつきキャップの部分
ｂ  ゴミ収集袋を備えた空気導入管
ｂ−１  ポリタンクの蓋の部分に引っ掛かるための滑り止め縁
ｂ−２  ゴミ収集袋
ｂ−３  空気導入管に刻まれた上限水位目盛
ｂ−４  空気導入管に刻まれた下限水位目盛
ｂ−５  空気導入管の底辺に備えた通気孔
ｂ−６  ゴミ袋を止めるための空気導入管内の段差
ｂ−７  ゴミ収集袋を止める金具
ｃ  ポリタンク
ｃ−１  ポリタンクの大きい蓋の部分
ｃ−２  ポリタンクの小さい蓋の部分
ｃ−３  ポリタンクに注入された水
ｄ  ポリタンクの小さい蓋の部分に接続するノズルつきキャップ
ｄ−１  掃除機につなぐホースに接続するノズルの部分
ｄ−２  ポリタンクｃ−２の蓋の部分に装着する部分
ｄ−３  ノズルの部分に備えたスポンジ
【図１】
2005169022.tif 000004
【図２】
2005169022.tif 000005
【図３】
2005169022.tif 000006
【図４】
2005169022.tif 000007
【図５】
2005169022.tif 000008
【図６】
2005169022.tif 000009